(57)【要約】【課題】ケース（１２）を有する電子時計（１０）およびこの時計の組立方法を提供すること。【解決手段】前記ケース（１２）は、互いに電気的に接続され、バッテリ（１８）により電力が与えられる第１と第２の電子モジュール（１４，１６）を有し、前記ケース（１２）は、中間部品（２０）により形成され、前記中間部品（２０）は、その上部は表示装置（２４）上方に配置された保護ガラス（２２）により、その底部はケース（１２）に追加されるカバー（２６）により封止され、前記ケース（１２）は、パーティション（３２）を更に有し、前記パーティション（３２）は、前記中間部品（２０）に固定され、前記パーティション（３２）は、ケース（１２）の上部に前記第１電子モジュール（１４）を収納する上部区画室（３４）を形成し、前記ケース（１２）の底部に第２電子モジュール（１６）を収納する底部区画室（３６）を形成し、前記バッテリ（１８）は、前記パーティション（３２）の底部面（４０）に形成されたハウジング（３８）内に収納される。【選択図】図１
2008026318.tif 000002
【特許請求の範囲】
【請求項１】
ケース（１２）を有する電子時計（１０）において、
前記ケース（１２）は、互いに電気的に接続され、バッテリ（１８）により電力が与えられる第１と第２の電子モジュール（１４，１６）を有し、
前記ケース（１２）は、中間部品（２０）により形成され、
前記中間部品（２０）は、その上部は表示装置（２４）上方に配置された保護ガラス（２２）により、その底部はケース（１２）に追加されるカバー（２６）により封止され、
前記ケース（１２）は、パーティション（３２）を更に有し、
前記パーティション（３２）は、前記中間部品（２０）に固定され、
前記パーティション（３２）は、
ケース（１２）の上部に前記第１電子モジュール（１４）を収納する上部区画室（３４）を形成し、
前記ケース（１２）の底部に第２電子モジュール（１６）を収納する底部区画室（３６）を形成し、
前記バッテリ（１８）は、前記パーティション（３２）の底部面（４０）に形成されたハウジング（３８）内に収納される
ことを特徴とする電子時計。
【請求項２】
前記第２電子モジュール（１６）は、前記カバー（２６）の内側面（８６）に固定される
ことを特徴とする請求項１記載の電子時計。
【請求項３】
前記第２電子モジュール（１６）は、電子部品を搭載する第２プリント回路基板（８０）により形成され、
前記カバー（２６）は、複数本のスタッド（８８）を有し、
前記スタッド（８８）は、前記カバー（２６）と一体に形成され、前記第２プリント回路基板（８０）に形成された孔（９０）を貫通して垂直方向に伸び、
前記第２プリント回路基板（８０）は、前記カバー（２６）上に、前記スタッド（８８）の自由端を変形することにより保持される
ことを特徴とする請求項２記載の電子時計。
【請求項４】
前記第１電子モジュール（１４）は、中間部品（２０）に固定される
ことを特徴とする請求項１−３のいずれかに記載の電子時計。
【請求項５】
前記第１電子モジュール（１４）は、前記パーティション（３２）の開口（９２）を貫通して下方向に伸びる雄型コネクタ（７４）を有し、
前記第２電子モジュール（１６）は、上方向に伸びる雌型コネクタ（７８）を有し、        前記コネクタ（７４，７８）により、前記電子モジュール（１４，１６）間の電気接続を形成する
ことを特徴とする請求項１−４のいずれかに記載の電子時計。
【請求項６】
前記第１電子モジュール（１４）は、第１プリント回路基板（４４）を有し、
前記雄型コネクタ（７４）は前記第１プリント回路基板（４４）の底部面（７６）に固定接続される
ことを特徴とする請求項５記載の電子時計。
【請求項７】
前記第１電子モジュール（１４）は、表示装置（２４）とクロック回路（６８）と表示制御回路（７０）とを有する時計機能のモージュールであり、
前記第２電子モジュール（１６）は、前記時計機能以外の補助機能専用のモジュールである
ことを特徴とする請求項１−６のいずれかに記載の電子時計。
【請求項８】
前記クロック回路（６８）と表示制御回路（７０）は、前記第１プリント回路基板（４４）に配置され、
前記表示装置（２４）と第１プリント回路基板（４４）は、それらの間に配置されてスペーサ（４６）に固定され、
これにより、第１電子モジュール（１４）を形成し、
前記スペーサ（４６）は、前記中間部品（２０）に固定される
ことを特徴とする請求項６および７に記載の電子時計。
【請求項９】
前記表示装置（２４）は、組み立てスペーサ（４６）に、雄型と雌型の弾性ジョイントにより、取り外し可能に固定される
ことを特徴とする請求項８記載の電子時計。
【請求項１０】
前記バッテリ（１８）のハウジング（３８）の底部（４３）は、オリフィス（４５）を有し、
前記オリフィス（４５）は、第１電子モジュール（１４）のテストと／またはプログラム・ゾーン（７９）へのアクセスを提供する
ことを特徴とする請求項１−９のいずれかに記載の電子時計。
【請求項１１】
前記パーティション（３２）は、前記カバー（２６）の面に平行な面で、前記中間部品（２０）の表面全体にわたって伸びる
ことを特徴とする請求項１−１０のいずれかに記載の電子時計。
【請求項１２】
前記カバー（２６）は、前記パーティション（３２）に固定され、
前記パーティション（３２）は、前記中間部品（２０）とカバー（２６）との間に挿入される
ことを特徴とする請求項１１記載の電子時計。
【請求項１３】
請求項１−１２のいずれかに記載の時計（１０）を組み立てる方法において、
（Ａ）  第１電子モジュール（１４）を、中間部品（２０）内に挿入するステップと、
（Ｂ）  パーティション（３２）を、中間部品（２０）に固定するステップと、
（Ｃ）  バッテリ（１８）を、パーティション（３２）の底部面（４０）に形成されたハウジング（３８）内に搭載するステップと、
（Ｄ）  第２電子モジュール（１６）を搭載するカバー（２６）を、ケース（１２）に固定するステップと
を有する
ことを特徴とする時計の組立方法。
【請求項１４】
（Ｅ）  第２電子モジュール（１６）を、カバー（２６）に固定するステップと、
（Ｆ）  第２電子モジュール（１６）のプリント回路基板（８０）を、カバー（２６）のスタッド（８８）に配置するステップと、
（Ｇ）  プリント回路基板（８０）を、カバー（２６）の内側面（８６）に当てて保持する局部的変形を形成するために、スタッド（８８）の自由端に熱溶接を行うステップと
をさらに有する
ことを特徴とする請求項３と組み合わせた請求項１３に記載の組立方法。
【発明の詳細な説明】
【技術分野】
【０００１】
本発明は、電子時計と電子時計を組み立てる方法に関する。
【０００２】
本発明は、特に、ケースを有する電子時計に関し、前記ケースは、互いに電気的に接続され、バッテリにより電力が与えられる第１と第２の電子モジュールを有し、前記ケースは、中間部品により形成され、前記中間部品は、その上部は表示装置上方に配置された保護ガラスにより、その底部はケースに追加されるカバーにより封止される。
【背景技術】
【０００３】
特許文献１は、時間表示のような時計機能と、時計の装着者の心拍数を測定するような補助機能とを有する腕時計の形態の時計を示す。時計機能と時計の表示制御は、中間部品に固定された上部プリント回路基板に配置された電子回路で扱われる。心拍数の測定機能（即ち補助機能）は、カバーの底部に固定された、底部のプリント回路基板上に配置された電子回路で扱われる。
【０００４】
【特許文献１】米国特許第２００５／０２５３０４７号明細書
【０００５】
この種の時計では、さまざまな部品の組立体がケース内で積層され、比較的複雑となる。固定手段がケース内に具備され、特に時計の所定の形状に合わせて具備される。ある電子モジュールを別の電子モジュールで交換しようとする時には、ケースの構造体を変更しなければならず、これにより、製造コストの問題と製造ラインのフレキシビリティの問題が発生する。
【０００６】
さらに、ケース内に具備される固定（係合、搭載）システムは、完全には満足できるものではなく、バッテリのようなある種の部品は、しっかりとは保持されていない。
【０００７】
バッテリを交換する時には、電子モジュールは露出し、この為汚れ、時計の信頼性に悪い影響を及ぼす。
【発明の開示】
【発明が解決しようとする課題】
【０００８】
本発明の目的は、上記の欠点を簡単且つ経済的に解決することである。
【課題を解決するための手段】
【０００９】
かくして、本発明は、前述した種類の時計を提案する。この時計において、ケースは、パーティションを更に有し、前記パーティションは、前記中間部品に固定され、前記パーティションは、ケースの上部に前記第１電子モジュールを収納する上部区画室を形成し、前記ケースの底部に第２電子モジュールを収納する底部区画室を形成し、前記バッテリは、前記パーティションの底部面に形成されたハウジング内に収納される。
【００１０】
本発明により、２個の電子モジュールは、互いに十分に絶縁されてケース内に確実に保持される。さらにまた、バッテリはより簡単に交換でき、そのパーティションのハウジング内への配置により、電子モジュールへの電気接続を容易にする。
【００１１】
好ましくは、前記第２電子モジュールは、電子部品を搭載する第２プリント回路基板により形成され、前記カバーの内側面に固定される。前記カバーは、複数本のスタッドを有し、前記スタッドは、前記カバーと一体に形成され、前記第２プリント回路基板に形成された孔を貫通して垂直方向に伸びる。前記第２プリント回路基板は、前記カバー上に、前記スタッドの自由端を変形することにより保持される。第２電子モジュールをカバー上に配置することにより、ケース内への第２電子モジュールの組み立てとバッテリの交換が容易となる。
【００１２】
好ましくは、前記第１電子モジュールは、前記パーティションの開口を貫通して下方向に伸びる雄型コネクタを有し、前記第２電子モジュールは、上方向に伸びる雌型コネクタを有し、前記コネクタにより、前記電子モジュール間の電気接続を形成する。これらのコネクタを使用することにより、第２電子モジュールを第１電子モジュールに電気的に接続することが容易となる。特に、この接続に必要な接続固定物の数を減らせる。かくしてより信頼性の高い電気接続が得られ、組み立て操作の回数も減らすことができる。
【００１３】
好ましくは、前記第１電子モジュールは、第１プリント回路基板を有し、前記雄型コネクタは、前記第１プリント回路基板の底部面に固定接続される。前記第１電子モジュールは、表示装置とクロック回路と表示制御回路とを有する時計機能のモージュールであり、前記第２電子モジュールは、前記時計機能以外の補助機能専用のモジュールである。かくして完全にモジュラー化した組み立てが得られ、第１電子モジュールを変えることなく第２電子モジュールを交換できる。
【００１４】
本発明の好ましい実施例によれば、前記クロック回路と表示制御回路は、前記第１プリント回路基板に配置され、前記表示装置と第１プリント回路基板は、それらの間に配置されてスペーサに固定され、これにより、第１電子モジュールを形成する。前記スペーサは、前記中間部品に固定される。この実施例により、組み立て操作が容易となる。第１電子モジュールがより取り扱いやすい組立体を形成する。さらに、スペーサを同一の外部周辺構造体で維持することにより、プリント回路基板と表示装置を変更することができるが、これは、ケースの上部区画室３４の構造体の変更を必要としないからである。
【００１５】
好ましくは、前記表示装置は、組み立てスペーサに、雄型と雌型の弾性ジョイントにより、取り外し可能に固定される。これにより、同じスペーサを使用しながら、表示装置を構成する部品をより早く且つ簡単に交換できる。
【００１６】
好ましくは、前記バッテリのハウジングの底部は、オリフィスを有し、前記オリフィスは、第１電子モジュールのテストと／またはプログラム・ゾーンへのアクセスを提供する。かくして、第１電子モジュールは、パーティションあるいは壁により保護され、パーティションをはずすことなく、第１電子モジュールに対し作業ができる。
【００１７】
前記パーティションは、前記カバーの面に平行な面で、前記中間部品の表面全体にわたって伸びる。前記カバーは、前記パーティションに固定され、前記パーティションは、前記中間部品とカバーとの間に挿入される。この結果、大量生産が可能となり、バッテリを交換したり、あるいは第２電子モジュールに対し手を加える時には、第１電子モジュールに対し良好な保護を提供するサンドイッチ型の組立体が得られる。
【００１８】
本発明は、また、時計を組み立てる方法を提案している。この方法は、
（Ａ）  第１電子モジュールを、中間部品内に挿入するステップと、
（Ｂ）  パーティションを、中間部品に固定するステップと、
（Ｃ）  バッテリを、パーティションの底部面に形成されたハウジング内に搭載するステップと、
（Ｄ）  第２電子モジュールを搭載するカバーを、ケースに固定するステップと
を有する。
【００１９】
好ましくは、この方法は、
（Ｅ）  第２電子モジュール（１６）を、カバー（２６）に固定するステップと、
（Ｆ）  第２電子モジュール（１６）のプリント回路基板（８０）を、カバー（２６）のスタッド（８８）に配置するステップと、
（Ｇ）  プリント回路基板（８０）を、カバー（２６）の内側面（８６）に当てて保持する局部的変形を形成するために、スタッド（８８）の自由端に熱溶接を行うステップと
をさらに有する。
【発明を実施するための最良の形態】
【００２０】
以下の説明において、垂直方向はＶ、軸方向はＬ、横方向はＴと命名する。
【実施例】
【００２１】
図１−８は、本発明の電子時計１０は、腕時計で示したさまざまな部品を示す。
【００２２】
電子時計１０は、ケース１２を有する。このケース１２は、互いに電気的に接続された第１と第２の電子モジュール１４、１６を有し、それらにバッテリ１８により電流が供給される。電子モジュール１４、１６は、垂直軸方向Ａ１に沿って積み重ねられる。
【００２３】
以下の説明において、垂直軸方向Ａ１に沿った軸方向は、限定的に解釈されるべきではない。
【００２４】
ケース１２は、全体が円形の中間部品２０により形成される。この中間部品２０は、その上部面は、表示装置２４上方に配置された保護ガラス２２により封止され、その下部面はケース１２に取り付けられたカバー２６により封止される。
【００２５】
中間部品２０は、水平面に伸びるが、その軸端エッジに、腕時計またはブレスレット（図示せず）のストランドを取り付けるホーン２８、３０と、その横方向端部エッジに、電子時計１０を手動で制御するプッシュボタン３１を有する。
【００２６】
本発明によれば、ケース１２は、壁でもある追加されたパーティション３２を有する。このパーティション３２は、中間部品２０に固定され、ケース１２の上部面に第１電子モジュール１４を含む上部区画室３４を、ケース１２の底部面に第２電子モジュール１６を含む底部区画室３６を形成する。
【００２７】
バッテリ１８は、底部区画室３６内で、パーティション３２と第２電子モジュール１６の間で、パーティション３２の底部面４０に配置されたハウジング３８内に配置される。好ましくは、図５−９に示すように、ハウジング３８は、パーティション３２と一体に形成され、ここでは軸方向スカート４１の形態で形成される。この軸方向スカート４１は、軸方向のノッチを有し、これにより軸方向スカート４１が半径方向外側に変形できるようにし、バッテリ１８がハウジング３８内に挿入される。固定リング４２は、軸方向スカート４１の外部軸方向壁に付着され、バッテリ１８の挿入後、バッテリ１８をハウジング３８内に保持する。ハウジング３８の底部４３は、オリフィス４５を有する。このオリフィス４５は、第１電子モジュール１４のテストと／プログラム領域７９へのアクセスを提供する。
【００２８】
第１電子モジュール１４の実施例を図３に詳細に示す。
【００２９】
第１電子モジュール１４は、表示装置２４と第１プリント回路基板４４の間に軸方向から組み立てスペーサ４６を挿入することにより、形成される。
【００３０】
組み立てスペーサ４６は、矩形のフレームの形態をしているが、ケース１２の上部区画室３４内に収納され、中間部品２０に固定される。組み立てスペーサ４６は、その上部部分に弾性フック４８を、その底部部分をスタッド５０を有する。弾性フック４８は、表示装置２４が組み立てスペーサ４６に弾性的に適合できるようにする。スタッド５０は、第１プリント回路基板４４の孔５２内に収納され、第１プリント回路基板４４を組み立てスペーサ４６の底部方向に軸方向から当てて、保持する。
【００３１】
表示装置２４は、バックライト装置５６上方に配置された矩形の液晶セル５４により形成される。バックライト装置５６は、上から下に順に、拡散フィルタ５８と、導波ガイド６０と、反射フィルタ６２と、発光ダイオード６４とを有する。この発光ダイオード６４は、第１プリント回路基板４４の上面６６上に搭載され、光ビームを導波ガイド６０内に放射する。
【００３２】
図３、４に示すように、本発明の一実施例によれば、発光ダイオード６４は、第１プリント回路基板４４のコーナーに配置され、その結果、発光ダイオード６４は組み立てスペーサ４６の対応するコーナーに配置される。このコーナーには、組み立てスペーサ４６が垂直方向壁を有し、リセス６７を形成する。リセス６７は、下方向に向かって開いて、発光ダイオード６４が挿入でき、上方向に向かって開いて、導波ガイド６０の入口面６９に向かって、光が導波ガイド６０を貫通できるようにしている。
【００３３】
このリセス６７は、スクリーンを形成する。このスクリーンの機能は、導波ガイド６０の外側にある発光ダイオード６４から放射された光が中間部品２０内に伝搬するのを阻止する。これは、中間部品２０が透明な材料で形成された場合、特に有効である。
【００３４】
第１プリント回路基板４４は、クロック回路６８と表示制御回路７０を有する。この表示制御回路７０は、液晶セル５４にフレキシブルコネクタ７２を介して、電気的に接続される。クロック回路６８は、時間基準装置を有し、従来の時計機能（例えば、時間、日付等）を計算する。
【００３５】
雄型コネクタ７４は、第１プリント回路基板４４の底部面７６に固定して搭載されて、第１電子モジュール１４と第２電子モジュール１６とを、雌型コネクタ７８を介して電気的に接続する。第２電子モジュール１６を第１電子モジュール１４とバッテリ１８とに接続するすべての電気導体は、この雌型コネクタ７８を貫通する。
【００３６】
第１プリント回路基板４４の底部面７６は、電気接触スタッド７９を有する。この電気接触スタッド７９は、パーティション３２のオリフィス４５に対向して配置されて、第１電子モジュール１４のテストと／またはプログラミング領域を形成する。これらの電気接触スタッド７９により、クロック回路６８と表示制御回路７０の動作が、電気テスト・ツール（図示せず）を用いて、試験できる。
【００３７】
第２電子モジュール１６は、第２プリント回路基板８０により形成される。この第２印刷回路基板８０は、時計機能以外の補助機能専用の電子部品を含む。
【００３８】
図に示す一実施例によれば、これらの補助機能は、時計の装着者の心拍数を測定する機能を含む。かくして、第２プリント回路基板８０は、パルス測定ユニット８２とパルス測定処理ユニット８４とを含む。このパルス測定処理ユニット８４は、表示制御回路７０に表示されるべきデータ、特に装着者の心拍数の値を送信する。
【００３９】
本発明の変形例によれば、補助機能は、心拍数を測定以外、例えば高度計機能、コンパス機能、衛星による位置確認機能、電話機能を含む。
【００４０】
好ましくは、第２プリント回路基板８０は、カバー２６の内側面８６に固定される。カバー２６は、複数個のスタッド８８を有する。このスタッド８８は、カバー２６と一体に形成され、第２プリント回路基板８０に形成された孔９０を垂直方向に貫通して伸びる。第２プリント回路基板８０は、スタッド８８の自由端を変形することにより、垂直方向からカバー２６に当てて、保持される。
【００４１】
雌型コネクタ７８は、第２プリント回路基板８０の上部面に固定して搭載されて、垂直上方向に伸びる。
【００４２】
本発明の一実施例によれば、カバー２６は、パーティション３２の底部面４０に固定され、その結果、パーティション３２は、中間部品２０とカバー２６の間で軸方向に押し込まれる。カバー２６は、ここでは４本のねじ部材９１により、ねじ部材９１が、垂直方向にねじ込まれるべきパーティション３２を貫通して、中間部品２０のねじ孔９３内にねじ込まれることにより、固定される。
【００４３】
パーティション３２は、水平面で中間部品２０の表面全体にわたって、ホーン２８とホーン３０の間を伸びる。その結果、パーティション３２は、第１プリント回路基板の底部面７６のすべてをカバーする。
【００４４】
パーティション３２は、雄型コネクタ７４に対向して開口９２を有する。これにより、雄型コネクタ７４が、雌型コネクタ７８内にパーティション３２を介して、入り込む。好ましくは、雄型コネクタ７４の自由端９４は、開口９２のエッジ９６と垂直方向で面一である。この為、カバー２６と第２電子モジュール１６を分解した時には、雄型コネクタ７４の適正な保護が可能となる。
【００４５】
第１電子モジュール１４をバッテリ１８に接続する電気接続は、２個の金属製接触ラグ９８により、行われる。この金属製接触ラグ９８は、上部区画室３４内で、第１プリント回路基板４４とパーティション３２の上部面１００の間に配置され、バッテリのハウジング３８の底部４３上を部分的に伸びる。
【００４６】
プッシュボタン３１は、金属製の接触片１０２を具備する。この接触片１０２は、上部区画室３４内で、第１プリント回路基板４４の外側周辺エッジ１０４と中間部品２０の内側軸方向壁１０６との間に配置される。
【００４７】
小さな個々の電気接続要素の全て、例えば金属製接触ラグ９８と接触片１０２は、上部区画室３４内に配置される。かくして、第２電子モジュール１６の電気接続は、単純化される。その理由は、すべての電気接続は雌型コネクタ７８を貫通するからである。さらに、カバー２６が取り外されると、例えばバッテリ１８を交換する為に、きっちりとは配置されていない金属製接触ラグ９８と接触片１０２等の部品を失う危険性はない。
【００４８】
本発明の電子時計１０の電子モジュール１４、１６は、特にバッテリ１８を交換する時には、機械的かつ電気的に保護される。
【００４９】
本発明の電子時計１０の組み立て方法を次に説明する。
【００５０】
第１電子モジュール１４は、以下の行程により予め組み立てられる。まず、表示装置２４とバックライト装置５６と第１プリント回路基板４４を、組み立てスペーサ４６に搭載する。その後、第１電子モジュール１４を中間部品２０内に軸方向から挿入する。その後のケース１２は、図５に示した構成となる。
【００５１】
金属製接触ラグ９８と接触片１０２が、その後第１プリント回路基板４４に当てて、それぞれの位置に配置される。
【００５２】
次に、パーティション３２が軸方向から中間部品２０の底部面に当てて搭載され、例えばボンディング等により固定される。パーティション３２は、水平面において、中間部品２０に対し、パーティション３２と一体に形成されたスタッド１０８により、中心に配置される。
【００５３】
バッテリ１８が、ハウジング３８内に挿入され、固定リング４２に適合することにより、その位置に保持される（図７）。
【００５４】
第２電子モジュール１６をカバー２６に固定した後、カバー２６は、ねじ部材９１によりパーティション３２に固定される。
【００５５】
第２電子モジュール１６をカバー２６に固定するステップは、カバー２６のスタッド８８が第２プリント回路基板８０の孔９０内に軸方向から挿入される配置ステップを含む。孔９０の大きさは、スタッド８８と孔９０の内側エッジとの間に半径方向の遊びがある程度大きさである。これにより、第２プリント回路基板８０が水平面で若干のクリアランスがあり、かくして、第２プリント回路基板８０が固定された第１プリント回路基板４４に対し中心に来るようななる。第２プリント回路基板８０を第１プリント回路基板４４に対し、最終的に中心に合わせることは、雌型コネクタ７８の内側に適合した雄型コネクタ７４により決定される。
【００５６】
この配置ステップの後、スタッド８８の自由端は加熱して変形され、これにより第２プリント回路基板８０をカバー２６上に熱溶接により固定する。この熱溶接の終了時には、スタッド８８の自由端は、平坦となり、孔９０の直径より大きい直径の円盤を形成する。
【００５７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００５８】
【図１】本発明の電子時計の一実施例を表す部品展開斜視図。
【図２】図１の時計の線２−２の横方向断面図。
【図３】図１の時計に適合した第１電子モジュールを示す部品展開斜視図。
【図４】第１電子モジュールとバックライトの発光ダイオードの装置を一部示す線４−４に沿った横方向断面図。
【図５】ケースを反転し、第１電子モジュールが挿入され、本発明のパーティションが搭載される前の図１の時計のケースを表す部品展開斜視図。
【図６】図５に類似し、パーティションが搭載され、時計に電力を与えるバッテリが搭載される前のケースを表す図。
【図７】図５に類似する図で、バッテリが搭載され、第２電子モジュールを具備するカバーが搭載される前の図５に類似する部品展開斜視図。
【図８】図１の時計とその電子モジュールを示すブロック図。
【符号の説明】
【００５９】
１０  時計
１２  ケース
１４  第１電子モジュール
１６  第２電子モジュール
１４，１６  電子モジュール
１８  バッテリ
２０  中間部品
２２  保護ガラス
２４  表示装置
２６  カバー
２８，３０  ラグ（ホーン  角）
３１  プッシュボタン
３２  パーティション
３４  上部区画室
３６  底部区画室
３８  ハウジング
４０  底部面
４１  軸方向スカート
４２  固定リング
４３  底部
４４  第１プリント回路基板
４５  オリフィス
４６  組み立てスペーサ
４８  弾性フック
５０  スタッド
５２  孔
５４  液晶セル
５６  バックライト装置
５８  拡散フィルタ
６０  導波ガイド
６２  反射フィルタ
６４  発光ダイオード
６６  上面
６７  リセス
６８  クロック回路
６９  入口面
７０  表示制御回路
７２  フレキシブルコネクタ
７４  雄型コネクタ
７６  底部面
７８  雌型コネクタ
７９  電気接触スタッド
８０  第２プリント回路基板
８２  パルス測定ユニット
８４  パルス測定処理ユニット
８６  内側面
８８  スタッド
９０  孔
９１  ねじ部材
９２  開口
９３  ねじ孔
９４  自由端
９６  エッジ
９８  金属製接触ラグ
１００  上部面
１０２  接触片
１０４  外側周辺エッジ
１０６  内側軸方向壁
１０８  スタッド
【図１】
2008026318.tif 000003
【図２】
2008026318.tif 000004
【図３】
2008026318.tif 000005
【図４】
2008026318.tif 000006
【図５】
2008026318.tif 000007
【図６】
2008026318.tif 000008
【図７】
2008026318.tif 000009
【図８】
2008026318.tif 000010